(57)【要約】【課題】目立たずに簡便かつ迅速に胸部を覆い隠して授乳でき、必要に応じて、乳児の様子を見ることができる授乳用ケープを提供する。【解決手段】外出先など人前で胸を露にして乳児に母乳を与えるのは、躊躇せざるを得ない。  本考案の授乳用ケープ１は、通気性を有する略矩形状の布地の上端部に全長にゴム２を配置し、上端の両端部に端部同士を連結する連結部材３が付設されたものである。なお、連結部材３は、面ファスナー３ａを用いたものとしている。【選択図】図２
0003115775.tif 000002
【実用新案登録請求の範囲】
【請求項１】
授乳時に胸部を覆い隠すための授乳用ケープにおいて、通気性を有する略矩形状の布地の上端部全長にゴムを配置し、上端の両端部に上端部同士を連結する連結部材を付設したことを特徴とする授乳用ケープ。
【請求項２】
前記連結部材は、面ファスナーを用いたものであることを特徴とする請求項１記載の授乳用ケープ。
【考案の詳細な説明】
【技術分野】
【０００１】
本考案は、外出先で乳児に母乳を与える場合に使用する授乳用ケープに関するものである。
【背景技術】
【０００２】
近年、母乳育児が増加しているが、外出先に授乳室がない場合が多く、しばしば公の場所で授乳せざるを得ない場合が生ずる。このような場合に、胸部を覆い隠して授乳できる授乳用衣服が知られている（例えば、特許文献１参照）。
この授乳用衣服は、胸部分に縦方向の開口部を設けるとともに、その上から覆うカバー体を設けたもので、外観は通常の洋服と変わりなく、格好よく使用できるものである。
しかしながら、乳児を連れて外出するときは、必ず着用せねばならず、また、同じものばかり着るわけにもいかないので複数必要とするという難点がある。さらに、授乳期が過ぎてしまえば不要なものとなってしまうので、不経済である。
【０００３】
一方、外出時に携帯し授乳時にのみ胸部を覆い隠す授乳用ケープが知られている（例えば、特許文献２参照）。
この授乳用ケープは、矩形状の布地の真ん中に頭が通り抜けられる丸穴を形成した単純なものである。
【０００４】
【特許文献１】特開平１０−３１０９１５号公報
【特許文献２】実用新案登録第３０８５４５４号公報
【考案の開示】
【考案が解決しようとする課題】
【０００５】
上記特許文献２の授乳用ケープは、簡単に作れ、嵩張らないので携帯にも便利であるが、これを使用するときは頭から被らなければならないので、髪が乱れてしまうのみならず、目立ってしまい、しかも、その様子が格好のよいものとはいえず、使用しずらいものである。また、授乳時に母親が乳児の様子を見ることができないという難点もある。さらに、乳児にとっては暗くて暑い状況下に置かれるので、嫌がられることが少なくない。
【０００６】
そこで、本考案は、目立たずに簡便かつ迅速に胸部を覆い隠して授乳でき、必要に応じて、乳児の様子を見ることができる授乳用ケープを提供することを目的としている。
【課題を解決するための手段】
【０００７】
本考案の授乳用ケープは、上記の目的を達成するため次の手段を採った。すなわち、授乳時に胸部を覆い隠すための授乳用ケープにおいて、通気性を有する略矩形状の布地の上端部全長にゴムを配置し、上端の両端部に上端部同士を連結する連結部材を付設したことを特徴としている。
【０００８】
布地は小孔を多数設けるなどした通気性のよいものを用いる。また、しわになりにくく薄くて軽いものが望ましい。布地の大きさは着衣したとき、丈は、上半身が隠れればよく、幅は、背中の一部が隠れる程度の寸法でよい。また、デザインは、洋服の上から羽織って不自然さが感じられないものとし、使用時に格好良く見えるのが望ましい。このために、例えば、下端部全長にフリルを付けたり、下部の３０ｃｍ程度をレース地として透けて見えるようにしたり、ポケットを幾つか並べて付けるといった手段を講じるとよい。また、不使用時は、折り畳み傘のように小さく丸めて袋に収納して携帯できるようにするとよい。
【０００９】
上端縁全長のゴムは平ゴムを用い緩めに設ける。また、上端部同士を連結する連結部材は、左右端の上端にそれぞれ付設した紐として、これを結んで連結してもよいし、フックなどの係止金具を付けて止めるようにしてもよいが、請求項２に記載のように、面ファスナーを用いたものとするのが望ましい。なお、面ファスナーは、布地の左右端の上端に設けてもよいが、左右端の上端に幅広の布地を逢着し、これに設けるのが望ましい。
【００１０】
この授乳用ケープを使用するときは、上端の左右端を持って背中に羽織り、前で連結部材を係止させて上端同士を連結する。そして、乳児を抱いて連結部が後ろ側になるように授乳用ケープ全体を左右へ回すだけでよい。授乳時の乳児の様子を見るときは、片手で首部の部分を持って軽く引き下げればよい。
一方、乳児にとっては、通気性のある布地であるので、若干暗いとはいえ、さほど居心地は悪くなく、外と隔離されるので、乳児の興味を引きそうなものが近くにあったとしても惑わされることがない。したがって、乳児は授乳に専念するので、短時間で授乳を終わらせることができる。
【００１１】
なお、この授乳用ケープは、外出先のみならず自宅において使用しても良い。また、リバーシブルにして、表と裏のデザインを別な面ファスナーを用いたものものとし、防寒用おくるみとして使用したり、膝掛けとして使用してもよい。
【考案の効果】
【００１２】
本考案の授乳用ケープは、上記のように、通気性を有する略矩形状の布地の上端部全長にゴムを配置し、上端の両端部に上端部同士を連結する連結部材を付設したので、授乳に際して目立たずに、すなわち、格好悪いという感覚を抱かずに簡便かつ迅速に胸部を覆い隠して授乳することができる。また、必要に応じて、乳児の様子を見ることができる。また、通気性のある布地を使用しているので乳児にとっても従来のような暗くて暑い環境ではないので、嫌がられないという実用上の効果がある。
【００１３】
また、連結部材を請求項２に記載のように、面ファスナーを用いたものとすれば、左右端の上端の連結および離脱が極めて簡便迅速にできる。さらに、授乳時以外のときは、防寒用おくるみや、膝掛けなど、別の用途にも使用でき、また、この授乳用ケープは、母親の体形に左右されないので、乳児のいる人や出産間近の人への贈り物としても使用できるといった効果もある。
【考案を実施するための最良の形態】
【００１４】
本考案の授乳用ケープの実施の形態を図１および図２に基づいて説明する。
図１は、授乳用ケープの全体を示す斜視図で、図２は使用時の状態を示している。
図１に示すように、授乳用ケープ１は、縁取りした矩形状の布地であり、その上端部にゴム２が全長にわたって配置され、上端の左右端には連結部材３が付設されている。
布地は小孔を多数有する薄いもので、表面にはデザインが施され、下端部は全長にわたって襞が形成されている。
布地の幅は、使用時に背中の半分程度を覆う寸法であり、丈は、膝付近まで覆う寸法としている。ゴム２は幅の広い平ゴムを用いて緩い状態で配置している。連結部材３は、上端の両端に逢着したやや幅広の布地に面ファスナー３ａを付設したものであり、重ね合わせることによって上端同士を連結することができる。
【００１５】
このように構成された授乳用ケープ１の使用方法について次に説明する。
授乳用ケープ１は、携帯に便利なように、小さく折り畳まれ、折り畳み傘の袋と同様の袋に収納することができる。そして、外出先などで使用するときは、授乳用ケープ１を袋から取り出して拡げ、上端の両端部（連結部材３でもよい）を持って背中に羽織り、前開きの状態で連結部材３の面ファスナー３ａを重ね合わせて連結する。このときの首回りの部分は緩やかな状態である。すなわち、上端の両端部を引き込むことなく連結することができる。
この状態で乳児を抱いて、連結部材３の位置が後ろ（背中）になるように授乳用ケープ１を水平に回動させ、上半身前面が覆い隠された状態とする。そして、胸部を開き乳首を出して乳児に母乳を与える。乳児の様子を見る必要がある場合は、片手で首部の授乳用ケープ１を持って引き下げて覗き込めばよい。
【図面の簡単な説明】
【００１６】
【図１】本考案の授乳用ケープの実施の形態を示す斜視図である。
【図２】同  授乳用ケープの使用状態を示す斜視図である。
【符号の説明】
【００１７】
１  授乳用ケープ
２  ゴム
３  連結部材
３ａ  面ファスナー
４  襞
【図１】
0003115775.tif 000003
【図２】
0003115775.tif 000004